(57)【特許請求の範囲】
【請求項１】
複数個のブロック化された塔体構造物を接続して塔状構造物を構築する方法において、
基礎部に第１ブロック塔体構造物を立設する工程、
前記第１ブロック塔体構造物を囲むようにガイドタワーを組立て、第１ブロック塔体構造物とガイドタワーの間には支持部材を設ける工程で、前記第１ブロック塔体構造物を囲むように組立てられたガイドタワーが、第１ブロック塔体構造物とほぼ同じ高さで下側に設けられる第１ガイドタワーと、その上側に設けられる第２ガイドタワーからなり、上側に設けられる第２ガイドタワーが、持ち上げたブロック構造物を横方向に移動させて搬入するために開放面にしているものであり、
前記ガイドタワーに伸縮機構及びブロック塔体構造物の保持かつ横方向移動機構を備えたリフトアップ装置を取り付ける工程、
前記リフトアップ装置の横方向移動機構にブロック塔体構造物を保持して伸縮機構の尺取り虫的な間欠動作でガイドタワーに沿って持ち上げ、持ち上げたブロック塔体構造物を横方向移動機構により横方向に移動させ、第１ブロック塔体構造物の上に接続する工程、
を有することを特徴とする複数個のブロック化された塔体構造物を接続して塔状構造物を構築する方法。
【請求項２】
複数個のブロック化された塔体構造物を接続して塔状構造物を構築する方法において、
基礎部に第１ブロック塔体構造物を立設する工程、
前記第１ブロック塔体構造物を囲むようにガイドタワーを組立て、第１ブロック塔体構造物とガイドタワーの間には支持部材を設ける工程で、前記第１ブロック塔体構造物を囲むように組立てられたガイドタワーが、第１ブロック塔体構造物とほぼ同じ高さで下側に設けられる第１ガイドタワーと、その上側に設けられる第２ガイドタワーからなり、上側に設けられる第２ガイドタワーが、持ち上げたブロック構造物を横方向に移動させて搬入するために開放面にしているものであり、
前記ガイドタワーに伸縮機構及びブロック塔体構造物の保持かつ横方向移動機構を備えたリフトアップ装置を取り付ける工程、
前記リフトアップ装置の横方向移動機構に第２ブロック塔体構造物を保持して伸縮機構の尺取り虫的な間欠動作でガイドタワーに沿って持ち上げ、持ち上げた第２ブロック塔体構造物を横方向移動機構により横方向に移動させ、第１ブロック塔体構造物の上に接続する工程、
前記リフトアップ装置を仮設基礎部にガイドタワーを囲むように設置され開放面を有する台に載置して固定し、伸縮機構の尺取り虫的な間欠動作でガイドタワーを上昇させる工程、
前記の上昇したガイドタワーの下に前記台の開放面から継ぎ足し枠を挿入して取り付ける工程、
前記の継ぎ足し枠を取り付けて高くなったガイドタワーに沿って、リフトアップ装置に第３ブロック塔体構造物を保持して伸縮機構の尺取り虫的な間欠動作で持ち上げ、持ち上げた第３ブロック塔体構造物を横方向移動機構により横方向に移動させ、第２ブロック塔体構造物の上に接続する工程、
を有することを特徴とする複数個のブロック化された塔体構造物を接続して塔状構造物を構築する方法。
【請求項３】
塔体構造物の最上部になるブロック化された塔体構造物が、羽根及び発電機を備えているもので風力発電の鉄塔を構築するものであることを特徴とする請求項１または２に記載の複数個のブロック化された塔体構造物を接続して塔状構造物を構築する方法。
【請求項４】
張出部を設けた上部横部材、下部横部材及び縦横部材でガイドタワーを囲むように構成され、ガイドタワーの柱と接するローラを設け、上部横部材には横方向に移動する台車を備え、かつシリンダとピストン及びシリンダ側の係合ピンとピストン側の係合ピンを有する伸縮機構を備えてリフトアップするものであり、前記伸縮機構のガイドタワーの柱に設けた係合孔に係合ピンの係合と解除を繰り返して尺取り虫的な間欠動作でガイドタワーに沿って昇降し、仮設基礎部に設けた台へ載置して固定した状態では伸縮機構のガイドタワーの柱に設けた係合孔に係合ピンの係合と解除を繰り返して尺取り虫的な間欠動作でガイドタワーを上昇させることを特徴とする請求項１〜３に記載の塔状構造物を構築する方法の実施に使用するリフトアップ装置。
【発明の詳細な説明】
【０００１】
【発明の属する技術分野】
本発明は、塔状構造物の構築方法及びその装置に係り、特に羽根を取り付けた風力発電の鉄塔の構築方法及びその装置に関するものである。
【０００２】
【従来の技術】
一般に、高い鉄塔は複数個のブロック化された構造物を接続して構築するもので、その構築に際しては、基礎の上に一番下のブロック化された構造物を立設し、次いでブロック化された構造物をトラッククレーン、クライミングクレーンで吊り上げて順次、積上げて高い鉄塔を構築するものである。
【０００３】
【発明が解決しようとする課題】
従来技術のブロック化された構造物をトラッククレーン、クライミングクレーンで吊り上げて順次、積上げて行く構築法では、風の影響を受けやすく、構築作業を中止することが多かった。
特に、風力発電の鉄塔は、風の日が多く、また風の非常に強い場所に建設するものであり、また鉄塔の一番上には発電機や羽根といった重いものを載せなければならず、風の影響を受けやすく、構築作業を中止することが多かった。
また、風力発電機の発電機や羽根は重いので、それを吊り上げには大型のトラッククレーンが必要である。風力発電機は道路が整備されていないような山、海岸に建設することが多く、大型のトラッククレーンを搬入するための搬入路、作業ための設置場所の確保という問題もあった。
本発明は、このような事情に鑑みて、風の影響を受けることの少ない、及びクレーンを用いることの少ない塔状構造物の構築方法及びその装置を提供するものである。
【０００４】
【課題を解決するための手段】
本発明は、複数個のブロック化された塔体構造物を接続して塔状構造物を構築する方法において、
基礎部に第１ブロック塔体構造物を立設する工程、
前記第１ブロック塔体構造物を囲むようにガイドタワーを組立て、第１ブロック塔体構造物とガイドタワーの間には支持部材を設ける工程で、前記第１ブロック塔体構造物を囲むように組立てられたガイドタワーが、第１ブロック塔体構造物とほぼ同じ高さで下側に設けられる第１ガイドタワーと、その上側に設けられる第２ガイドタワーからなり、上側に設けられる第２ガイドタワーが、持ち上げたブロック構造物を横方向に移動させて搬入するために開放面にしているものであり、
前記ガイドタワーに伸縮機構及びブロック塔体構造物の保持かつ横方向移動機構を備えたリフトアップ装置を取り付ける工程、
前記リフトアップ装置の横方向移動機構にブロック塔体構造物を保持して伸縮機構の尺取り虫的な間欠動作でガイドタワーに沿って持ち上げ、持ち上げたブロック塔体構造物を横方向移動機構により横方向に移動させ、第１ブロック塔体構造物の上に接続する工程、
を有することを特徴とする複数個のブロック化された塔体構造物を接続して塔状構造物を構築する方法である。
【０００５】
また、本発明は、複数個のブロック化された塔体構造物を接続して塔状構造物を構築する方法において、
基礎部に第１ブロック塔体構造物を立設する工程、
前記第１ブロック塔体構造物を囲むようにガイドタワーを組立て、第１ブロック塔体構造物とガイドタワーの間には支持部材を設ける工程で、前記第１ブロック塔体構造物を囲むように組立てられたガイドタワーが、第１ブロック塔体構造物とほぼ同じ高さで下側に設けられる第１ガイドタワーと、その上側に設けられる第２ガイドタワーからなり、上側に設けられる第２ガイドタワーが、持ち上げたブロック構造物を横方向に移動させて搬入するために開放面にしているものであり、
前記ガイドタワーに伸縮機構及びブロック塔体構造物の保持かつ横方向移動機構を備えたリフトアップ装置を取り付ける工程、
前記リフトアップ装置の横方向移動機構に第２ブロック塔体構造物を保持して伸縮機構の尺取り虫的な間欠動作でガイドタワーに沿って持ち上げ、持ち上げた第２ブロック塔体構造物を横方向移動機構により横方向に移動させ、第１ブロック塔体構造物の上に接続する工程、
前記リフトアップ装置を仮設基礎部にガイドタワーを囲むように設置され開放面を有する台に載置して固定し、伸縮機構の尺取り虫的な間欠動作でガイドタワーを上昇させる工程、
前記の上昇したガイドタワーの下に前記台の開放面から継ぎ足し枠を挿入して取り付ける工程、
前記の継ぎ足し枠を取り付けて高くなったガイドタワーに沿って、リフトアップ装置に第３ブロック塔体構造物を保持して伸縮機構の尺取り虫的な間欠動作で持ち上げ、持ち上げた第３ブロック塔体構造物を横方向移動機構により横方向に移動させ、第２ブロック塔体構造物の上に接続する工程、
を有することを特徴とする複数個のブロック化された塔体構造物を接続して塔状構造物を構築する方法である。
【０００６】
また、本発明の複数個のブロック化された塔体構造物を接続して塔状構造物を構築する方法は、塔体構造物の最上部になるブロック化された塔体構造物が、羽根及び発電機を備えているもので風力発電の鉄塔を構築するものであることを特徴とするものである。
【０００７】
さらに、本発明のリフトアップ装置は、張出部を設けた上部横部材、下部横部材及び縦横部材でガイドタワーを囲むように構成され、ガイドタワーの柱と接するローラを設け、上部横部材には横方向に移動する台車を備え、かつシリンダとピストン及びシリンダ側の係合ピンとピストン側の係合ピンを有する伸縮機構を備えてリフトアップするものであり、前記伸縮機構のガイドタワーの柱に設けた係合孔に係合ピンの係合と解除を繰り返して尺取り虫的な間欠動作でガイドタワーに沿って昇降し、仮設基礎部に設けた台へ載置して固定した状態では伸縮機構のガイドタワーの柱に設けた係合孔に係合ピンの係合と解除を繰り返して尺取り虫的な間欠動作でガイドタワーを上昇させることを特徴とする請求項１〜３に記載の塔状構造物を構築する方法の実施に使用するものである。
【０００８】
【作用】
本発明は複数個のブロック化された塔体構造物を接続して塔状構造物を構築する方法において、ガイドタワーを基礎部にしっかり立設された第１ブロック塔体構造物を囲むように組立て、第１ブロック塔体構造物とガイドタワーの間に支持部材を設けているのでガイドタワーは安定しており、この第１ブロック塔体構造物に支持されているガイドタワーに沿ってリフトアップ装置により第１ブロック塔体構造物の上に持ち上げるので、多少の風では作業を中止することなく、ブロック塔体構造物の持ち上げるを行うことができる。
また、ガイドタワーを高くする場合には、ブロック塔体構造物の持ち上げに用いたリフトアップ装置を台に載置して固定し、このリフトアップ装置によりガイドタワーを上昇させ、その下に継ぎ足し枠を取り付けるもので、容易にガイドタワーを高くすることができ、より高い塔状構造物を容易に構築することができるものである。
【０００９】
【発明の実施の形態】
本発明において、ブロック化された塔体構造物には、塔の一部、羽根及び発電機等の部品を備えてた構造物であり、風力発電機のように最上部に羽根及び発電機を備えてた塔体構造物を取り付ける鉄塔を構築するものである。
図１に示すように、基礎部（１０）に第１ブロック塔体構造物（１ａ）を立設し，この第１ブロック塔体構造物（１ａ）を囲むようにガイドタワーを組立てる。ガイドタワーは、第１のガイドタワー（２ａ）、第２のガイドタワー（２ｂ）下には継ぎ足し枠（３ａ）（３ｂ）（３ｃ）が組み合わされている。
第２のガイドタワー（２ａ）の高さＨ１は、第１ブロック塔体構造物（１ａ）の高さにほぼ等しくする。第２のガイドタワー（２ｂ）に高さＨ２は、接続するブロック化された塔体構造物の高さにほぼ等しくすることが好ましい。
継ぎ足し枠（３ａ）（３ｂ）（３ｃ）の高さＨ３は、リフトアップ装置（４）によりガイドタワーを上昇させることができる高さにする。
【００１０】
リフトアップ装置（４）の台車（８）に第２ブロック構造物（１ｂ）を吊って矢印Ａのように上昇させ、台車（８）を矢印Ｂのように横に移動させて第１ブロック構造物（１ａ）の上に接続する。その後に第１のガイドタワー（２ａ）、第２のガイドタワー（２ｂ）を上昇させて、その下には継ぎ足し枠（３ａ）（３ｂ）（３ｃ）を組み合わせる。
次いで、台車（８ａ）に、発電機（１ｄ）と羽根（１ｅ）を有する第３ブロック構造物（１ｃ）を載せて、高くなった第１のガイドタワー（２ａ）、第２のガイドタワー（２ｂ）、継ぎ足し枠（３ａ）（３ｂ）（３ｃ）に沿って、リフトアップ装置（４）を矢印Ｆのように上昇させ、台車（８ａ）を矢印Ｇのように横に移動させて第２ブロック構造物（１ｂ）の上に接続するもので、このようにして最上部に羽根及び発電機を備えてた風力発電の鉄塔を構築するものである。
また、鉄塔の構築が終了した後は、リフトアップ装置（４）を用いて、継ぎ足し枠（３ｃ）（３ｂ）（３ａ）を取り除き、リフトアップ装置（４）を取り外し、第１ガイドタワー（２ａ）、第２ガイドタワー（２ｂ）を解体する。
【００１１】
図２はガイドタワーの概略を示したもので、第１のガイドタワー（２ａ）は４面を横部材で補強している。第２のガイドタワー（２ｂ）は３面を横部材で補強し、１つの面は、ブロック構造物を横方向に移動させて搬入するために開放にしている。継ぎ足し枠（３ａ）（３ｂ）（３ｃ）はリフトアップ装置によりガイドタワーを上昇させることができる高さとし、横から挿入した後に鎖線で示した
横部材（３１）を取り付けて補強する。
また、台（５）は、ガイドタワーを上昇させるときに、リフトアップ装置を載置する台で、第１ガイドタワーより大きく、側壁のない解放面（５ｃ）の方向から第１ガイドタワーを跨ぐようにして、リフトアップ装置の下に入れる。台（５）は、側壁（５ａ）（５ｂ）でコの字形にし、ガイドタワーを上昇させる際の大きな荷重を支えるようになっている。
【００１２】
【実施例】
本発明の実施例について、図３〜図１４を参照して説明する。
図３（ａ）（ｂ）（ｃ）、図４（ｄ）（ｅ）（ｆ）、図５（ｇ）（ｈ）（ｉ）、図６（ｊ）（ｋ）、図７（ｌ）（ｍ）、図８は実施例の風力発電の鉄塔の構築についての工程を示す図である。図９（ａ）（ｂ）、図１０、図１１は実施例の一部を詳細に示す図、図１２〜図１５はリフトアップ装置の作動を説明する図である。
【００１３】
まず、図３（ａ）に示すように、基礎部（１０）に鉄塔を構成する第１のブロック構造物（１ａ）を立設する。第１のブロック構造物（１ａ）は鉄塔の一番下の部分であり、その上に順次ブロックされた構造物に積重ねて行くことになるので、またガイドタワーを支持することにもなるので、仮設ではなく正規位置の基礎部（１０）にしっかりと立設する。
【００１４】
次いで、図３（ｂ）に示すように、第１のガイドタワー（２ａ）、第２のガイドタワー（２ｂ）を組立てる。
第１のガイドタワー（２ａ）は、第１のブロック構造物（１ａ）を囲むように、仮設基礎部（１１）に取り外し可能な状態に設ける。第１のブロック構造物（１ａ）と第１のガイドタワー（２ａ）の間には支持部材（６）を設け、第１のガイドタワー（２ａ）を第１のブロック構造物（１ａ）で支持する。また支持部材（６）にはローラ（７）を設け、第１のガイドタワー（２ａ）が昇降する際に、ローラ（７）で円滑に昇降できるようになっている。
第１のガイドタワー（２ａ）の上に、第２のガイドタワー（２ｂ）を接続部（２５）で接続して組立てる。
【００１５】
第１のガイドタワー（２ａ）は、Ｘ１−Ｘ１の断面図に示すように、４本の柱（２１）と、それぞれを横部材（２２）で結合している。なお、図３〜図７のガイドタワーでは、横部材を省略して図示している。
第２のガイドタワー（２ｂ）は、Ｘ２−Ｘ２の断面図に示すように、４本の柱（２３）と３か所を横部材（２４）で結合している。１か所には横部材を取付けていない開放面とする。この開放面は、持ち上げたブロック構造物を横方向に移動させるときの搬入口面である。
【００１６】
また、第１ブロック構造物（１ａ）を囲むように設けられているガイドタワー、支持部材（６）、ローラ（７）について詳しく説明すると、図９（ａ）（ｂ）に示すように、ガイドタワーの柱（２１）（２３）に支持部材（６）のローラ（７）が接しており、ガイドタワー（２ａ）の下に継ぎ足し枠を取り付けるために、ガイドタワー（２ａ）（２ｂ）を上昇させる場合、あるいは継ぎ足し枠を取り外すために下降させる場合に、ガイドタワーが円滑に昇降できるようになっている。また支持部材（６）は部材（６´）で連結して、第１ブロック構造物（１ａ）側に押し付けるようにすることが好ましい。
また、ガイドタワーの柱（２１）（２３）には、係合孔（２０）が設けられている。なお図３〜図７のガイドタワーでは、係合孔を省略して図示している。
【００１７】
次いで、図３（ｃ）に示すように、第１のガイドタワー（２ａ）、第２のガイドタワー（２ｂ）に沿って昇降するリフトアップ装置（４）を取付ける。
そして、リフトアップ装置（４）の台車（８）の吊り具（９）に、台（１２）に載置されている第２のブロック構造物（１ｂ）を取付ける。
リフトアップ装置（４）について詳細を図９（ａ）（ｂ）、図１０を参照して説明する。
図９（ａ）は側面図（図３（ｃ）の状態）、図９（ｂ）は図９（ａ）を上からみた図である。リフトアップ装置（４）は、上部横部材（４ａ）、下部横部材（４ｂ）、中間横部材（４ｃ）、縦横部材（４ｄ）で構成されている。上部横部材（４ａ）は張出部を備えている。下部横部材（４ｂ）には吊り上げるブロック構造物（１ｂ）を保持するために張出部を設けることが好ましい（図３（ｃ）の張出部（４ｅ）のように設ける）。
【００１８】
リフトアップ装置（４）は、ガイドタワー（２ａ）（２ｂ）の外周を囲むように取付けられるもので、ガイドタワーの柱（２１）（２３）にローラ（４１）（４２）で円滑に昇降することができるようになっいる。また張出部を有する上部横部材（４ａ）にはレール（４ｆ）が設けられ、台車（８）が横方向に容易に移動できるようになっいる。
また、リフトアップ装置（４）には、その中間横部材（４ｃ）に伸縮機構であるシリンダ（４３）とピストン（４４）、係合ピン（４６）（４７）が設けられている。これは図１０に示すように、ガイドタワーの柱（２１）の係合孔（２０）に係合ピンが係合するようになっている。
【００１９】
ガイドタワーの柱（２１）の係合孔（２０）に係合ピン（４６）を係合し、係合ピン（４７）を係合孔（２０）から解除した状態で、シリンダ（４３）を作動させてピストン（４４）を伸ばすことにより、リフトアップ装置（４）は上昇するもので、これを繰り返して尺取り虫的な間欠動作で上昇する。リフトアップ装置（４）の昇降機構についての詳細は後述する。
【００２０】
次いで、図４（ｄ）に示すように、リフトアップ装置（４）を矢印Ａのように上昇させ、台車（８）に取付けられている第２ブロック構造物（１ｂ）を矢印Ａのように、第１ブロック構造物（１ａ）に接続できる第２ガイドタワー（２ｂ）の位置まで吊り上げる。
次いで、図４（ｅ）に示すように、リフトアップ装置（４）の上部横部材（４ａ）の台車（８）を横方向（矢印Ｂ）に移動させる。
第２ガイドタワー（２ｂ）には搬入できるように開放面になっているので、吊り上げられた第２ブロック構造物（１ｂ）は、第１ブロック構造物（１ａ）の上の位置に移動して、少し下げて接続する。
このようにして第１ブロック構造物（１ａ）の上に第２ブロック構造物（１ｂ）の接続が行われた後、台車（８）を上部横部材（４ａ）の張出部に移動させ、図４（ｆ）に示すようにリフトアップ装置（４）を矢印Ｃのように下降させる。
【００２１】
第１ガイドタワー（２ａ）と第２ガイドタワー（２ｂ）は、第２ブロック構造物（１ｂ）を吊り上げて第１ブロック構造物（１ａ）に接続できる高さになっているので、さらに第３ブロック構造物を接続するために、第１ガイドタワー（２ａ）と仮設基礎部（１１）との間に継ぎ足し枠の取り付けを行う。
図５（ｇ）に示すように、リフトアップ装置（４）の下部横部材（４ｂ）と仮設基礎部（１１）との間に台（５）を入れて、リフトアップ装置（４）を台（５）に載置する。台（５）は、図２に示すように側壁（５ａ）（５ｂ）のコの字形をしており、第１ガイドタワー（２ａ）より大きいものである。側壁のない解放面（５ｃ）の方向から台（５）を第１ガイドタワー（２ａ）を跨ぐように入れる。台は、コの字形をしており、側壁のない解放面の方向から継ぎ足し枠を挿入できるようになっていればよい。
ここで、第１のガイドタワー（２ａ）を仮設基礎部（１１）から取り外す。
【００２２】
次いで、図５（ｈ）に示すように、台（５）に載置されているリフトアップ装置（４）の伸縮機構により、第１ガイドタワー（２ａ）と第２ガイドタワー（２ｂ）を矢印Ｄ方向に尺取り虫的な間欠動作で、継ぎ足し枠の取り付けに要する高さに上昇させる。ガイドタワー（２ａ）（２ｂ）を上昇させるとき、支持部材（６）のローラ（７）により円滑に上昇する。
リフトアップ装置（４）によるガイドタワーの上昇についての詳細は後述する。
【００２３】
次いで、図５（ｉ）に示すように、上昇した第１ガイドタワー（２ａ）と仮設基礎部（１１）との間に継ぎ足し枠（３ａ）を台（５）の側壁のない面から矢印Ｅのように挿入し、第１ガイドタワー（２ａ）の下部と継ぎ足し枠（３ａ）を接合する。図５（ｈ）、図５（ｉ）に示す工程を繰り返して第１ガイドタワー（２ａ）の下に継ぎ足し枠（３ａ）（３ｂ）（３ｃ）を接合する。
継ぎ足し枠（３ａ）（３ｂ）（３ｃ）の高さは、第３ブロック構造物を接続するために必要な高かさである。リフトアップ装置（４）の高さ、その伸縮機構の作動長さからみて、第１ガイドタワー（２ａ）や第２ガイドタワー（２ｂ）の長さにするためには継ぎ足し枠を３個位い継ぐことが好ましい。
【００２４】
図６（ｊ）に示すように、仮設基礎部（１１）の上に継ぎ足し枠（３ｃ）、接続部（２８）、継ぎ足し枠（３ｂ）、接続部（２７）、継ぎ足し枠（３ａ）、接続部（２６）、第１のガイドタワー（２ａ）、接続部（２５）、第２のガイドタワー（２ｂ）のように組み立てられたガイドタワーで、羽根（１ｅ）と発電機（１ｄ）を付けた第３ブロック構造物（１ｃ）を持ち上げる。
第３ブロック構造物（１ｃ）の載置されている状態について、詳細を示した図１１を参照して説明する。上部横部材（４ａ）、下部横部材（４ｂ）、中間横部材（４ｃ）、縦横部材（４ｄ）で構成されているリフトアップ装置（４）は、ガイドタワーの柱（２１）にローラ（４１）（４２）で昇降するもので、張出部を有する上部横部材（４ａ）のレール（４ｆ）で台車（８ａ）が横方向に容易に移動できるようになっいる。また中間横部材（４ｃ）にシリンダ（４３）とピストン（４４）、係合ピン（４６）（４７）を設け、ガイドタワーの柱（２１）の係合孔（２０）に係合ピンが係合するようになっている。
【００２５】
台車（８ａ）には、発電機（１ｄ）の下の部分を挟持し、また羽根（１ｅ）の付け根部分を台（８ｂ）に載置する。
次いで、図６（ｋ）に示すように、リフトアップ装置を上昇させ、台車（８ａ）に取付けられている第３ブロック構造物（１ｃ）を矢印Ｆのように、第２ブロック構造物（１ｂ）に接続できる第２ガイドタワー（２ｂ）の位置まで吊り上げる。
次いで、図７（ｌ）に示すように、リフトアップ装置（４）の上部横部材（４ａ）の台車（８ａ）を横方向（矢印Ｇ）に移動させる。第２ガイドタワー（２ｂ）には搬入できるように開放面になっているので、持ち上げられた第３ブロック構造物（１ｃ）の羽根（１ｅ）を開放面の位置に合わせて、第２ブロック構造物（１ｃ）の上の位置に移動して接続する。
【００２６】
次いで、図７（ｍ）に示すように、リフトアップ装置（４）の上部横部材（４ａ）の台車（８ａ）を張出部に移動して、リフトアップ装置（４）を下降させる。
そして、リフトアップ装置（４）の下部横部材（４ｂ）と仮設基礎部（１１）との間に台（５）を入れて、リフトアップ装置（４）を台（５）に載置する。
仮設基礎部（１１）と継ぎ足し枠（３ｃ）の接続、また継ぎ足し枠（３ｂ）との接続部（２８）を取り外し、リフトアップ装置（４）の伸縮機構の作動により少し上昇させて緩めて、台（５）の側壁のない面から矢印Ｊのように取り除く。このようにして、継ぎ足し枠（３ｂ）、継ぎ足し枠（３ａ）の順に取り除き、リフトアップ装置（４）を取り外し、第１ガイドタワー（２ａ）、第２ガイドタワー（２ｂ）を解体する。
このようにして、図８に示すような基礎部（１０）に第１ブロック構造物（１ａ）、接続部（１５）、第２ブロック構造物（１ｂ）、接続部（１６）、羽根（１ｅ）と発電機（１ｄ）を備えた第３ブロック構造物（１ｃ）からなる鉄塔が構築される。
【００２７】
リフトアップ装置（４）の昇降機構について、図１２（ａ）（ｂ）（ｃ）及び図１３（ｄ）（ｅ）（ｆ）を参照して説明する。
図１２（ａ）（ｂ）（ｃ）及び図１３（ｄ）（ｅ）（ｆ）は、図９（ａ）に示すリフトアップ装置（４）の中間横部材（４ｃ）に設けられているシリンダ（４３）とそのピストン（４４）、係合ピン（４６）（４７）、またガイドタワーの柱（２１）の係合孔（２０）の部分を拡大し、詳細に示した図である。
図１２（ａ）（ｂ）（ｃ）及び図１３（ｄ）（ｅ）（ｆ）において、ガイドタワーの柱（２１）には係合孔（２０）が、孔（２０ａ）、（２０ｂ）、（２０ｃ）、（２０ｄ）、（２０ｅ）と穿設されている。各孔の間隔はＰとする。
また、リフトアップ装置（４）の中間横部材（４ｃ）にシリンダ（４３）が支持部材（４ｇ）で設けられている。シリンダ（４３）に固定されている部材（４５）に上部ピン（４７）が設けられている。シリンダ（４３）により作動するピストン（４４）の部材（４８）に下部ピン（４６）が設けられている。
【００２８】
まず、図１２（ａ）に示すように、ガイドタワー柱（２１）の孔（２０ａ）に下部ピン（４６）をＫ１方向に進めて係合する。上部ピン（４７）はＬ１方向に退却させて解除状態にする。
次いで、図１２（ｂ）に示すように、ピストン（４４）をＭ方向に伸ばすと、リフトアップ装置（４）はＡ方向に上昇する。
次いで、図１２（ｃ）に示すように、上部ピン（４７）をＬ２方向に進め孔（２０ｄ）に係合する。その後下部ピン（４６）を孔（２０ａ）からＫ２方向に退却させて解除状態にする。
【００２９】
次いで、図１３（ｄ）に示すように、ピストン（４４）をＮ方向に縮める。ここではリフトアップ装置（４）は動かない。
次いで、図１３（ｅ）に示すように、孔（２０ｂ）に下部ピン（４６）をＫ１方向に進めて係合した後、上部ピン（４７）は孔（２０ｄ）からＬ１方向に退却させて解除状態にする。
次いで、図１３（ｆ）に示すように、ピストン（４４）をＭ方向に伸ばすと、リフトアップ装置（４）はＡ方向に上昇する。
このような作動を繰り返して、尺取り虫的な間欠動作でリフトアップ装置（４）を昇降させることができる。
【００３０】
リフトアップ装置（４）によりガイドタワーを昇降させる機構について、図１４（ａ）（ｂ）（ｃ）及び図１５（ｄ）（ｅ）（ｆ）を参照して説明する。
図１４（ａ）（ｂ）（ｃ）及び図１５（ｄ）（ｅ）（ｆ）は、図１２、図１３と同様にリフトアップ装置（４）の中間横部材（４ｃ）に設けられているシリンダ（４３）とそのピストン（４４）、係合ピン（４６）（４７）、またガイドタワーの柱（２１）の係合孔（２０）の部分を拡大し、詳細に示した図であり、
上述した図５（ｇ）に示すリフトアップ装置（４）が台（５）に載置されている状態で、図５（ｈ）に示すようにリフトアップ装置（４）により矢印Ｄ方向に尺取り虫的な間欠動作で上昇させる機構を説明するものである。
【００３１】
まず、図１４（ａ）に示すように、ガイドタワー柱（２１）の孔（２０ｒ）に下部ピン（４６）をＫ１方向に進めて係合する。上部ピン（４７）はＬ１方向に退却させて解除状態にする。
次いで、図１４（ｂ）に示すように、ピストン（４４）をＮ方向に縮めて、第１ガイドタワー（１ａ）をＤ方向に上昇させる。
次いで、図１４（ｃ）に示すように、上部ピン（４７）をＬ２方向に進め孔（２０ｔ）に係合する。その後下部ピン（４６）を孔（２０ｒ）からＫ２方向に退却させて解除状態にする。
【００３２】
次いで、図１５（ｄ）に示すように、ピストン（４４）をＭ方向に伸ばす。ここでは第１ガイドタワー（１ａ）は動かない。
次いで、図１５（ｅ）に示すように、孔（２０ｇ）に下部ピン（４６）をＫ１方向に進めて係合した後、上部ピン（４７）を孔（２０ｔ）からＬ１方向に退却させて解除状態にする。
次いで、図１５（ｆ）に示すように、ピストン（４４）をＮ方向に縮めて、第１ガイドタワー（１ａ）をＤ方向に上昇させる。
このような作動を繰り返して、尺取り虫的な間欠動作で第１ガイドタワー（１ａ）を上昇させるものである。
【００３３】
【発明の効果】
以上にように、本発明によれば、ガイドタワーを基礎部にしっかり立設された第１ブロック塔体構造物を囲むように組立て、第１ブロック塔体構造物とガイドタワーの間に支持部材を設けているのでガイドタワーは安定しており、この第１ブロック塔体構造物に支持されているガイドタワーに沿ってリフトアップ装置により第１ブロック塔体構造物の上に持ち上げるので、多少の風では作業を中止することなく、ブロック塔体構造物の持ち上げて塔状構造物を構築することができるという効果を奏するものである。
【図面の簡単な説明】
【図１】  本発明の実施の形態を説明する図
【図２】  本発明の実施の形態を説明する図
【図３】  本発明の実施例を示す図
【図４】  本発明の実施例を示す図
【図５】  本発明の実施例を示す図
【図６】  本発明の実施例を示す図
【図７】  本発明の実施例を示す図
【図８】  本発明の実施例を示す図
【図９】  本発明の実施例を示す図
【図１０】  本発明の実施例を示す図
【図１１】  本発明の実施例を示す図
【図１２】  本発明の実施例のリフトアップ装置の作動を説明する図
【図１３】  本発明の実施例のリフトアップ装置の作動を説明する図
【図１４】  本発明の実施例のリフトアップ装置の作動を説明する図
【図１５】  本発明の実施例のリフトアップ装置の作動を説明する図
【符号の説明】
１ａ  第１ブロック塔体構造物
１ｂ  第２ブロック塔体構造物
１ｃ  第３ブロック塔体構造物
１ｄ  発電機
１ｅ  羽根
２ａ  第１ガイドタワー
２ｂ  第２ガイドタワー
３ａ、３ｂ、３ｃ  継ぎ足し枠
４  リフトアップ装置
５  台
６  支持部材
８、８ａ  台車
【図１】
0003732414.tif 000002
【図２】
0003732414.tif 000003
【図３】
0003732414.tif 000004
【図４】
0003732414.tif 000005
【図５】
0003732414.tif 000006
【図６】
0003732414.tif 000007
【図７】
0003732414.tif 000008
【図８】
0003732414.tif 000009
【図９】
0003732414.tif 000010
【図１０】
0003732414.tif 000011
【図１１】
0003732414.tif 000012
【図１２】
0003732414.tif 000013
【図１３】
0003732414.tif 000014
【図１４】
0003732414.tif 000015
【図１５】
0003732414.tif 000016